(57)【要約】【課題】  人工衛星へのＭＬＩ（多層断熱材）の取付けにおいては、数多くの固定および数多くの接地が必要であり、多くの作業時間を要していた。【解決手段】  本発明による多層断熱材は、人工衛星に取り付けられる多層断熱材であって、前記多層断熱材は複数の単体多層断熱材からなり、前記単体多層断熱材は他の単体多層断熱材と、導電性接着剤、又は導電性粘着材、又は導電性固着剤、又は導電性面ファスナーにより接続され、接続された前記単体多層断熱材のうち、少なくとも１つの単体多層断熱材が、前記人工衛星に接地されるようにした。このように電気的、機械的に接続したＭＬＩのうち、一部のＭＬＩについてのみ接地作業を行うようにすることで、衛星への固定箇所および接地箇所を低減することができる。【選択図】  図１
2011037294.tif 000002
【特許請求の範囲】
【請求項１】
人工衛星に取り付けられる多層断熱材であって、
前記多層断熱材は複数の単体多層断熱材からなり、
前記単体多層断熱材は他の単体多層断熱材と、導電性接着剤、又は導電性粘着材、又は導電性固着剤、又は導電性面ファスナーにより接続され、
接続された前記単体多層断熱材のうち、少なくとも１つの単体多層断熱材が、前記人工衛星に接地されることを特徴とする多層断熱材。
【請求項２】
人工衛星に複数取り付けられる多層断熱材であって、
前記多層断熱材は複数の単体多層断熱材からなり、
前記単体多層断熱材は他の単体多層断熱材と導電性リボンあるいは電線を介して接続され、
接続された前記単体多層断熱材のうち、少なくとも一つの単体多層断熱材が、前記人工衛星に接地されることを特徴とする多層断熱材。
【請求項３】
前記単体多層断熱材は他の単体多層断熱材と、糸、又ははとめ、又はボタン、又はリベット、又はねじにより固定されることを特徴とする請求項１、２いずれか記載の多層断熱材。
【請求項４】
人工衛星に取り付けられる多層断熱材であって、
前記多層断熱材は複数の単体多層断熱材からなり、
前記単体多層断熱材は他の単体多層断熱材と、導電性接着剤、又は導電性粘着材、又は導電性固着材、又は導電性面ファスナーにより接続され、かつ、前記単体多層断熱材は他の単体多層断熱材と糸、又ははとめ、又はボタン、又はリベット、又はねじにより固定されていることを特徴とする多層断熱材。
【請求項５】
人工衛星に複数取り付けられる多層断熱材であって、
前記多層断熱材は複数の単体多層断熱材からなり、
前記単体多層断熱材は他の単体多層断熱材と導電性リボン又は電線を介して接続され、かつ、前記単体多層断熱材は他の単体多層断熱材と糸、又ははとめ、又はボタン、又はリベット、又はねじにより固定されていることを特徴とするＭＬＩ。
【請求項６】
複数の単体多層断熱材を接続し、接続された多層断熱材を人工衛星に取り付ける多層断熱材の取り付け方法であって、
前記単体多層断熱材を他の単体多層断熱材と導電性接着剤、又は導電性粘着材、又は導電性固着剤、又は導電性面ファスナーにより接続し、
接続した前記多層断熱材を構成する単体多層断熱材のうち、少なくとも一つの単体多層断熱材を、前記人工衛星に接地することを特徴とする多層断熱材の取り付け方法。
【発明の詳細な説明】
【技術分野】
【０００１】
この発明は、人工衛星に用いられる多層断熱材（ＭＬＩ：Ｍｕｌｔｉ Ｌａｙｅｒ Ｉｎｓｕｌａｔｉｏｎ）に関するものである。
【背景技術】
【０００２】
人工衛星（以下、単に衛星という）の外表面に実装する熱制御（熱防御）材の一つとして多層断熱材（以下、ＭＬＩともいう）が使用されていることは周知のところである。
従来、ＭＬＩを衛星に取り付ける際は、取り付ける複数個のＭＬＩの各々を面ファスナー等を用いて衛星に取り付け、あるいは、ネジもしくはボタンを用いて衛星に取り付けていた。
ＭＬＩを衛星に取り付けした後は、ＭＬＩを衛星に接地するため導電性リボンあるいは電線を用いて、各々のＭＬＩを衛星に電気的に接続する作業を行っていた（例えば、特許文献１参照）。
【先行技術文献】
【特許文献】
【０００３】
【特許文献１】特開２０００−７２１００号公報
【発明の概要】
【発明が解決しようとする課題】
【０００４】
衛星へ取り付けるＭＬＩの数量が多くなると、その数量に伴ってＭＬＩの固定数および固定したＭＬＩを衛星に接地する接地数も多くなる。
従来、衛星へのＭＬＩの取付け作業では数多くの固定および数多くの接地が必要であり、多くの作業時間を要するという問題があった。
【０００５】
本発明はこのような課題を解決するためになされたものであり、ＭＬＩを衛星に接地する接地数を減少させることが可能なＭＬＩを得ることを目的とする。
【課題を解決するための手段】
【０００６】
この発明の多層断熱材は、人工衛星に取り付けられる多層断熱材であって、前記多層断熱材は複数の単体多層断熱材からなり、前記単体多層断熱材は他の単体多層断熱材と、導電性接着剤、又は導電性粘着材、又は導電性固着剤、又は導電性面ファスナーにより接続され、接続された前記単体多層断熱材のうち、少なくとも１つの単体多層断熱材が、前記人工衛星に接地されるようにした。
【発明の効果】
【０００７】
この発明の多層断熱材によれば、多層断熱材の接地数量を減らすことができ、多層断熱材の取付け作業時間を短縮して、作業を効率的に実施することができる。
【図面の簡単な説明】
【０００８】
【図１】実施の形態１に係わるＭＬＩの接続状態、及び接続部の拡大図の一例である。
【図２】実施の形態２に係わるＭＬＩの接続状態、及び接続部の拡大図の一例である。
【発明を実施するための最良の形態】
【０００９】
実施の形態１．
この発明の実施の形態１に係る多層断熱材（ＭＬＩ（Ｍｕｌｔｉ Ｌａｙｅｒ Ｉｎｓｕｌａｔｉｏｎ）ともいう）について、以下、図を用いて説明する。
図１は、実施の形態１に係わるＭＬＩの接続状態、及び接続部の拡大図を示す図の一例である。
【００１０】
図１（ａ）はＭＬＩ１とＭＬＩ２との接続状態を示す斜視図である。
ここではＭＬＩ１とＭＬＩ２の２個のＭＬＩを接続し衛星に固定する例について説明するが、ＭＬＩが３個以上の場合であってもよい。
なお、ＭＬＩ１、ＭＬＩ２は単体多層断熱材（単体ＭＬＩともいう）の一例である。
また、複数個の単体多層断熱材を接続してできたものを、全体として、多層断熱材という。
図１（ａ）において、ＭＬＩ１は面ファスナー５やネジ６により衛星（図示せず）に固定される。
図１（ａ）において、ＭＬＩ１のみが導電性リボン４により衛星に接地される。
【００１１】
図１（ｂ）は、図１（ａ）におけるＡ-Ａ断面を示す構造図である。
図１（ｂ）において、ＭＬＩ１を構成する層１ａ、１b、…、１n間は、導電性接着剤８（8a,8b,…,8n）により電気的に接続された状態で固定される。また、導電性接着剤８（8ａ,8b,…,8n）の間は導電性リボン７（7a,7b,…,7n）により電気的に接続されている。
このようにして、ＭＬＩ１を構成する層1ａ、１b…１nは同電位となっている。
【００１２】
同様に、図１（ｂ）において、ＭＬＩ２を構成する層２ａ、２ｂ、…、２m間は、導電性接着剤１０（10a,10b,…,10m）により電気的に接続された状態で固定される。また、導電性接着剤１０（10a,10b,…,10m）の間は導電性リボン９（9a,9b,…,9m）により電気的に接続されている。
このようにして、ＭＬＩ２を構成する層２ａ、２ｂ、…、２ｍは同電位となっている。
なお、図１では層数がｎ＝ｍ＝４の例を示しているがＭＬＩの層数これに限られるものではない。
【００１３】
次に、ＭＬＩ１とＭＬＩ２の繋ぎ合わせの方法について説明する。なお、繋ぎ合わせのことを接続ともいう。
【００１４】
ＭＬＩ１とＭＬＩ２とを繋ぎ合わせるにあたり、本実施の形態では図１（ｂ）に示すようにＭＬＩ１とＭＬＩ２の端部の間に導電性接着剤１１を塗布し、導電性接着剤１１によりＭＬＩ１とＭＬＩ２を接続する。
【００１５】
ＭＬＩ１を構成する最表面の層１ａの表面には導電性リボン７ａが引き出されている。
一方、ＭＬＩ２を構成する最表面の層２ｍの表面には導電性リボン９ｍが引き出されている。
ＭＬＩ１とＭＬＩ２との接続は、導電性リボン７ａと導電性リボン９ｍとを対向させた後、導電性リボン７ａと導電性リボン９ｍとの間を導電性接着剤１１により固定することで行う。
このように、ＭＬＩ１とＭＬＩ２との間を導電性接着剤１１で接着することで、ＭＬＩ１とＭＬＩ２とを同電位にすることができる。
【００１６】
次に、ＭＬＩの衛星への接地は、ＭＬＩ１、ＭＬＩ２のうちのいずれか１つ、例えばＭＬＩ１と衛星とを導電性リボン４により接続する。
このように実施の形態１では、全てのＭＬＩについて衛星と接地をとるのではなく、導電性接着剤１１で接着することにより同電位とした個別のＭＬＩのうちの少なくとも一つのＭＬＩについて、衛星と接地するようにした。例えば２個のＭＬＩを接着した場合は、２個のＭＬＩのうちの１個のＭＬＩについてのみ接地を行う。また、３個のＭＬＩを接着した場合は、３個のＭＬＩのうちの１個、あるいは２個のＭＬＩについて、衛星と接地をとるようにした。
【００１７】
このように、ＭＬＩ１とＭＬＩ２との間を導電性接着剤１１で接着し、ＭＬＩ１と衛星とを導電性リボン４により接続することで、他のＭＬＩであるＭＬＩ２を衛星に接地する作業を行うことなく、ＭＬＩ１とＭＬＩ２を衛星と同電位とすることができる。
【００１８】
なお、衛星との接地は導電性リボンに限られるものではなく導電性の材料であればよい。例えば電線や、導電性の面ファスナーであってもよい。
【００１９】
更に、図１に示すように、ＭＬＩ２とＭＬＩ１とを糸３を用いて縫合する。これにより、ＭＬＩ２をＭＬＩ１へ固定する。
【００２０】
ＭＬＩ１を面ファスナー５、および、ねじ６により衛星へ固定し、ＭＬＩ２は糸３を用いてＭＬＩ１に縫合することで、ＭＬＩ２を直接、衛星へ固定する必要がなくなる。これにより、ＭＬＩの取付け作業時間を短縮して、作業を効率的に実施することができる。
【００２１】
実施の形態２．    
図２は、実施の形態２に係わるＭＬＩの接続状態、及び接続部の拡大図を示す図の一例である。
【００２２】
図２（ａ）はＭＬＩ１とＭＬＩ２との接続状態を示す斜視図である。図２（ｂ）はそのＢＢ断面を示す構造図である。なお、実施の形態１と同様の構成には同一符号を付し、その説明を省略する。
実施の形態２では、図２（ａ）に示すように、ＭＬＩ１の導電性リボン７と導電性リボン１３を導電性接着剤１１により接続し、さらに、ＭＬＩ２の導電性リボン９と導電性リボン１３を導電性接着剤１２により接続する。
【００２３】
このようにすることで、ＭＬＩ１とＭＬＩ２とを同電位にすることができる。
ＭＬＩの衛星への接地は、ＭＬＩ１とＭＬＩ２のうちのいずれか１つ、例えばＭＬＩ１と衛星とを導電性リボン４により接続する。例えばＭＬＩ１と衛星とを導電性リボン４により接続する。
このように、ＭＬＩ１とＭＬＩ２との間を導電性リボン１３により接続し、ＭＬＩ１と衛星とを導電性リボン４により接続することで、他のＭＬＩであるＭＬＩ２を衛星に接地する作業を行うことなく、ＭＬＩ１とＭＬＩ２を衛星と同電位とすることができる。
【００２４】
実施の形態３．
実施形態１では、糸３による縫合によりＭＬＩ２をＭＬＩ１へ固定していたが、糸３による縫合に代えて、はとめにより固定するようにしてもよい。
【００２５】
実施の形態４．
実施形態１では、糸３による縫合によりＭＬＩ２をＭＬＩ１へ固定していたが、糸３による縫合に代えて、ボタンにより固定するようにしてもよい。
【００２６】
実施の形態５．
実施形態１では、糸３による縫合によりＭＬＩ２をＭＬＩ１へ固定していたが、糸３による縫合に代えて、リベットにより固定するようにしてもよい。
【００２７】
実施の形態６．
実施形態１では、糸３による縫合によりＭＬＩ２をＭＬＩ１へ固定していたが、糸３による縫合に代えて、ねじにより固定するようにしてもよい。
【００２８】
実施の形態７．
実施形態１では、導電性接着剤１１により接続することによりＭＬＩ２をＭＬＩ１と同電位としていたが、導電性接着剤１１に代えて、導電性粘着剤、又は導電性固着材により接続するようにしてもよい。
【００２９】
実施の形態８．
実施形態１では、導電性接着剤１１により接続することによりＭＬＩ２をＭＬＩ１と同電位としていたが、導電性接着剤１１に代えて、導電性の面ファスナーにより接続するようにしてもよい。
【００３０】
実施の形態９．
実施形態２では、導電性接着剤１１と導電性接着剤１２で導電性リボン１３を接続することによりＭＬＩ２をＭＬＩ１と同電位としていたが、導電性接着剤の代わりに導電性粘着剤を用いて導電性リボン１３を接続するようにしてもよい。
【００３１】
実施の形態１０．
実施形態２では、導電性接着剤１１と導電性接着剤１２で導電性リボン１３を接続することによりＭＬＩ２をＭＬＩ１と同電位としていたが、導電性接着剤の代わりにろう付けにより導電性リボン１３を接続するようにしてもよい。
【００３２】
実施の形態１１．
実施形態２では、導電性リボン１３によりＭＬＩ２をＭＬＩ１に接続し同電位としていたが、導電性リボン１３の代わりに電線により接続することも可能である。
【符号の説明】
【００３３】
１  単体ＭＬＩ、２  単体ＭＬＩ、３  糸、  ４．導電性リボン、５  面ファスナー、６  ねじ、７  導電性リボン、８  導電性接着剤、９  導電性リボン、１０  導電性接着剤、１１  導電性接着剤、１２  導電性接着剤、１３導電性リボン。
【図１】
2011037294.tif 000003
【図２】
2011037294.tif 000004